(57)【特許請求の範囲】
【請求項１】
ホームコントロールシステムの設定を同期させるための同期デバイスであって、
前記ホームコントロールシステムに含まれる少なくとも１つの被制御デバイスの設定を格納するためのメモリと、
前記ホームコントロールシステムの制御デバイスと通信するための通信ユニットと、
前記ホームコントロールシステムの前記制御デバイスから信号を受信すると、同期信号を送信することによって、前記ホームコントロールシステムの格納された設定を同期させるためのプロセッサとを有する、同期デバイス。
【請求項２】
前記プロセッサは、
前記制御デバイスからの更新要求に応じて、前記同期信号を前記制御デバイスに送信するように前記通信ユニットを制御する、請求項１に記載の同期デバイス。
【請求項３】
前記プロセッサは、
前記通信ユニットにより前記制御デバイスから受信した設定を変更するためのコマンドを格納し、
設定を変更するための格納されたコマンドを有する同期信号を他のアクティブな制御デバイスに出力するように前記通信ユニットを制御するように構成される、請求項１又は２に記載の同期デバイス。
【請求項４】
ホームコントロールシステムに含まれる少なくとも１つの被制御デバイスと、
前記少なくとも１つの被制御デバイスを遠隔制御する幾つかの制御デバイスと、
請求項１乃至３のいずれか１項に記載の同期デバイスとを有する、ホームコントロールシステム。
【請求項５】
ホームコントロールシステムの設定を同期させるための方法であって、
前記ホームコントロールシステムに含まれる少なくとも１つの被制御デバイスの設定を格納するステップと、
前記ホームコントロールシステムの制御デバイスと通信するステップと、
前記ホームコントロールシステムの前記制御デバイスから信号を受信すると、同期信号を送信することによって、前記ホームコントロールシステムの格納された設定を同期させるステップとを有する、方法。
【請求項６】
前記同期させるステップは、
前記制御デバイスからの更新要求に応じて、前記同期信号を前記制御デバイスに送信するステップを有する、請求項５に記載の方法。
【請求項７】
前記通信するステップは、前記制御デバイスからの変更された設定を格納するためのコマンドを有する信号を受信することを有し、
前記同期させるステップは、他のアクティブな制御デバイスに変更された設定を示すための信号を出力することを有する、請求項５又は６に記載の方法。
【請求項８】
前記通信するステップは、前記制御デバイスからの設定を変更するためのコマンドを格納するためのコマンドを有する信号を受信することを有し、
前記同期させるステップは、設定を変更するための格納されたコマンドを有する同期信号を、他のアクティブな制御デバイスに出力することを有する、請求項５乃至７のいずれか１項に記載の方法。
【請求項９】
プロセッサが請求項５乃至８のいずれか１項に記載の方法を実行可能な、コンピュータプログラム。
【請求項１０】
請求項９に記載のコンピュータプログラムを格納する、記録担体。
【請求項１１】
請求項５乃至８のいずれか１項に記載の方法を実行するようにプログラムされ、ホームコントロールシステムの被制御デバイス及び制御デバイスと通信するためのインタフェースを有する、コンピュータ。
【発明の詳細な説明】
【技術分野】
【０００１】
本発明は、照明システムの照明シーンの設定のような、ホームコントロールシステムの設定を複数の照明ユニットと同期させることに関する。
【背景技術】
【０００２】
ホームコントロールシステムの一例は照明コントロールシステムである。更なる照明アプリケーションは、調光可能な照明並びに（壁面）スイッチ及び遠隔制御のような無線制御デバイスをもつ照明（ホーム）コントロールシステムを見込む。ほとんどの場合において、人々は、幾つかのランプ及び１つの遠隔制御をもつ簡素なシステムから始めるだろう。次第に、システムは、より多くのランプ及びより多くの（遠隔）制御デバイスに拡張され得る。斯様な照明システムは、しばしば、ユーザが、遠隔制御デバイスで照明シーンを生成し、遠隔制御デバイス内にこれらのシーンを格納することを可能にする。照明シーンは、照明シーンを生成するようにアクティブにされる、照明システムのランプの設定を有する。典型的には、これらの設定は、ランプの調光値、生成された照明の色を有する。遠隔制御に格納された照明シーンは、後に、ユーザにより取り出され得る。
【０００３】
しかしながら、ますます多くのランプ及び制御デバイスにより照明シーンを生成、調節及び格納するために、これは、異なる制御デバイスが異なる照明シーンを格納するという状況をもたらし得る。これは、どの制御デバイスがどの照明シーンを含むのか、及び／又は、どの制御デバイスがどのランプを制御するのかをユーザが記憶することが困難になるという状況をもたらす。
【発明の概要】
【発明が解決しようとする課題】
【０００４】
本発明の目的は、ユーザが、ホームコントロールシステムの格納された設定を取り出して設定するためにホームコントロールシステムの任意の制御デバイスを用いることを可能にするシステム及び方法を提供することにある。
【課題を解決するための手段】
【０００５】
本目的は、独立請求項の主題により解決される。更なる実施形態は、従属請求項により示される。
【０００６】
本発明の基本的な概念は、ホームコントロールシステムの照明シーン設定のような設定を、照明ユニット及びネットワークデバイスを制御するための複数の制御デバイスのようなデバイスのネットワークと同期させることにある。設定を同期させることにより、全ての制御デバイスは、ホームコントロールシステムの全ての設定にアクセスでき、複数の制御デバイスのうちいずれかの制御デバイスで全ての設定を制御することでき、ユーザは、どの設定がどの制御デバイスに格納されているかを記憶する必要がなくなる。本発明における制御デバイスは、無線接続を介してホームコントロールシステム、特にホームコントロールシステムの複数のデバイスと通信可能な無線遠隔制御のような、ホームコントロールネットワークの複数のデバイスの設定を制御するために設けられる任意の種類のデバイスを意味する。本発明におけるホームコントロールシステムは、家に導入され、照明、加熱及び／又は空調システムのような１又はそれ以上の制御デバイスを介して制御され得る幾つかのデバイスを有する任意のシステムを有する。
【０００７】
本発明の一実施形態は、ホームコントロールシステムの設定を同期させるためのデバイスであって、前記ホームコントロールシステムの１又はそれ以上のデバイスの設定を格納するためのメモリと、信号を受信し、信号を前記ホームコントロールシステムの制御デバイスに出力するための通信ユニットと、同期信号を出力することにより前記ホームコントロールシステムの制御デバイスから信号を受信すると、前記ホームコントロールシステムの格納された設定を同期させるためのプロセッサとを有する、デバイスを提供する。このデバイスは、ホームコントロールシステム、例えばホーム照明システムの複数のデバイスの設定のための同期化機能を導入することを可能にする。本デバイスは、既存のホームコントロールシステムの拡張のために別個のデバイスとして実装されてもよく、ホームコントロールシステムのデバイスや制御デバイスに一体化されてもよい。
【０００８】
本発明の他の実施形態によれば、前記プロセッサは、前記通信ユニットにより制御デバイスからの信号で受信したコマンドに従って、格納された設定を取り込んで処理し、処理された設定に従って、デバイスを設定するためのデバイスに同期信号を出力するように前記通信ユニットを制御するように構成され得る。この実施形態によれば、同期化デバイスは、ホームコントロールシステムの全ての設定のための中央ストレージとして機能する。同期信号は、この実施形態において、例えば設定に応じてホーム照明システムにより所望の照明シーンをレンダリングするために、ホーム制御システムの複数のデバイスのための全ての設定を格納し得る。これらの設定は、制御デバイスによるアクセスに対して利用可能であり、従って、ユーザは、制御デバイスで所望の設定を容易で快適に選択することができる。
【０００９】
本発明の更に他の実施形態によれば、前記プロセッサは、前記通信ユニットにより制御デバイスからの信号で受信したコマンドに従って、変更された設定を格納し、前記変更された設定を示すために他のアクティブな制御デバイスに同期信号を出力し、並びに／又は、他の制御デバイスからの更新要求に応答し、及び、同期信号をこれらのデバイスに（再）出力するように前記通信ユニットを制御するように構成され得る。この実施形態によれば、同期化デバイスは、変更された設定のためのある種の一時的なストレージとして機能し、他の制御デバイスがアクティブになったときに、これらに同期信号により変更された設定に関する情報を伝え得る。これらの設定は、全ての制御デバイスに格納され、ユーザが一の制御デバイスで或る設定を変更したときに、この実施形態は、ホームコントロールシステムの全ての他の制御デバイスに格納された設定の自動更新を可能にする。更に、全ての他の制御デバイスは、これらが目覚めるか又は本システムに加わるときに、更新を要求することができる。この更新要求は、更新要求を送信するデバイスに対する同期信号の（再）出力をトリガする。
【００１０】
本発明の他の実施形態によれば、前記プロセッサは、前記通信ユニットにより制御デバイスからの信号で受信した設定を変更するためのコマンドを格納し、設定を変更するための格納されたコマンドを有する同期信号を他のアクティブな制御デバイスに出力するように前記通信ユニットを制御するように構成され得る。この実施形態は、複数の設定が複数のデバイス、例えばホーム照明システムのランプに格納されるホームコントロールシステムに特に適している。しかしながら、ユーザが格納された設定から選択するのを可能にするために、制御デバイスは少なくとも利用可能な設定のリストを格納する。それ故、設定がユーザにより変更されたときには、この変更は、他の制御デバイスと同期されるべきである。これは、制御デバイスから各デバイスに出力される、設定を変更するためのコマンドが同期化デバイスにより受信されて一時的に格納されるこの実施形態により達成され得る。そして、同期化デバイスは、格納されたコマンドを有する同期信号を他のアクティブな制御デバイスに出力することができ、その結果、これらの制御デバイスは、これらの内部に格納された設定を更新することができる。
【００１１】
本発明は、他の実施形態による、ホームコントロールシステムであって、幾つかのデバイスと、前記幾つかのデバイスを遠隔で制御する幾つかの制御デバイスと、当該ホームコントロールシステムの設定を同期させるために、前記のデバイスのうちいずれかのデバイスとを有する、ホームコントロールシステムに関する。ホームコントロールシステムは、例えば、幾つかのランプと調光ランプのようなランプの設定を変更するための遠隔制御デバイスとをもつホーム照明システムである。
【００１２】
更に、本発明の一実施形態は、ホームコントロールシステムの設定を同期させるための方法であって、前記ホームコントロールシステムの１又はそれ以上のデバイスの設定を格納するステップと、信号を受信し、信号を前記ホームコントロールシステムの制御デバイスに出力するステップと、同期信号を出力することにより前記ホームコントロールシステムの制御デバイスから信号を受信すると、前記ホームコントロールシステムの格納された設定を同期させるステップとを有する、方法を提供する。この方法は、例えば、ホームコントロールシステムの同期化機能のためのアルゴリズムにより実行され得る。
【００１３】
本発明の他の実施形態によれば、信号を受信するステップは、格納された設定を制御デバイスから読み取って処理するためのコマンドを有する信号を受信することを有し、格納された設定を同期させるステップは、処理された設定に応じてデバイスを設定するためのデバイスに同期信号を出力することを有し得る。
【００１４】
本発明の他の実施形態によれば、信号を受信するステップは、制御デバイスからの変更された設定を格納するためのコマンドを有する信号を受信することを有し、格納された設定を同期させるステップは、変更された設定を示すための他のアクティブな制御デバイスに同期信号を出力することを有し得る。
【００１５】
本発明の他の実施形態によれば、信号を受信するステップは、制御デバイスからの設定を変更するためのコマンドを格納するためのコマンドを有する信号を受信することを有し、格納された設定を同期させるステップは、設定を変更するための格納されたコマンドを有する同期信号を、他のアクティブな制御デバイスに出力することを有し得る。
【００１６】
本発明の他の実施形態によれば、プロセッサが本発明の前記方法を実行可能なコンピュータプログラムが提供され得る。
【００１７】
本発明の他の実施形態によれば、本発明のコンピュータプログラムを格納する記録担体、例えば、ＣＤ−ＲＯＭ、ＤＶＤ、メモリカード、フロッピーディスク、インターネットメモリデバイス、又は、光学的又は電子的アクセスのためにコンピュータプログラムを格納するのに適した類似のデータ担体が提供され得る。
【００１８】
本発明の他の実施形態は、ホームコントロールシステムのデバイス及び制御デバイスと通信するためのインタフェースを有するＰＣ（Personal Computer）のような、本発明の方法を実行するようにプログラムされたコンピュータを提供する。
【００１９】
本発明のこれら及び他の態様は、後述される実施形態から明らかになり、これらの実施形態を参照して説明されるだろう。
【００２０】
本発明は、例となる実施形態を参照して以下でより詳細に説明されるだろう。しかしながら、本発明は、これらの例となる実施形態に限定されるものではない。
【図面の簡単な説明】
【００２１】
【図１】幾つかのランプとユーザが望む照明シーンを生成するためにこれらのランプを設定するための遠隔制御デバイスとを備え、異なる照明シーンの設定が異なる遠隔制御デバイスに格納されるホーム照明システムを示す。
【図２】遠隔制御デバイスが同期されて同一の照明シーンの設定を有する、図１のホーム照明システムを示す。
【図３】本発明のホーム照明システムの設定を同期させるためのデバイスを備える、図１のホーム照明システムを示す。
【図４】本発明のホーム照明システムの設定を同期させるためのデバイスの一実施形態を示す。
【図５】本発明のホーム照明システムの設定を同期させるための方法の第１の実施形態を示す。
【図６】本発明のホーム照明システムの設定を同期させるための方法の第２の実施形態を示す。
【図７】本発明のホーム照明システムの設定を同期させるための方法の第３の実施形態を示す。
【発明を実施するための形態】
【００２２】
以下、機能的に類似又は同一の要素は、同一の参照符号を有する。
【００２３】
図１は、遠隔制御デバイスＲＣ１及びＲＣ２で遠隔で制御され得る幾つかのランプＬ１〜Ｌ９を備えたホーム照明システムを示している。遠隔制御デバイスＲＣ１及びＲＣ２は、無線周波数（ＲＦ）接続のような、無線通信接続によりランプＬ１〜Ｌ９と通信する。双方の遠隔制御デバイスＲＣ１及びＲＣ２は、"シーン"、即ち照明シーンを生成、調節及び格納することができる。遠隔制御デバイスＲＣ１は、ランプＬ１，Ｌ２，Ｌ４，Ｌ７及びＬ８を制御し、遠隔制御デバイスＲＣ２は、ランプＬ２，Ｌ３，Ｌ５，Ｌ６，Ｌ８及びＬ９を制御する。ランプが調光可能な場合には、各遠隔制御デバイスＲＣ１及びＲＣ２は、ランプのための異なる調光設定をもつ。これらの場合において、遠隔制御デバイスＲＣ１は、遠隔制御デバイスＲＣ２（シーンＣ及びＤ）と比較して異なる"シーン"設定（シーンＡ及びＢ）を有する。例えば、シーンＡは、調光レベルが５０％のＬ１，８０％のＬ２，３０％のＬ４，１００％のＬ７，２０％のＬ８として規定され、シーンＣは、調光レベルが９０％のＬ２，４０％のＬ３，６０％のＬ５，７０％のＬ６，７５％のＬ８及び２５％のＬ９として規定される。
【００２４】
斯様なホーム照明システムに関して、以下の問題が生じ得る。ますます多くのランプ及び遠隔制御により、これは、どの遠隔制御デバイスがどの"シーン"を格納しているのか、及び／又は、どの遠隔制御デバイスがどのランプを制御しているのかを記憶することが困難になるという状況をもたらし得る。この場合において、ユーザは、異なるシーンと複数の遠隔制御とを備えた部屋をもつが、ユーザは、全ての遠隔制御において同一設定をもつか、又は、全ての遠隔制御が同一の設定若しくは"シーン"をアクティブにすることを望む。
【００２５】
図２は、双方の遠隔制御デバイスＲＣ３及びＲＣ４がシーンＥ，Ｆ及びＧの設定を含み、双方の遠隔制御デバイスＲＣ３及びＲＣ４が同一のランプ（Ｌ１，Ｌ２，・・・，Ｌ９）を制御する、図１のホーム照明システムを示す。この場合において、遠隔制御がこれらの設定を同期させることが必要である。例えば、ユーザが遠隔制御デバイスＲＣ３のシーン設定を変更し、及び／又は、ランプを遠隔制御デバイスＲＣ３のシーンに追加し、及び／又は、遠隔制御デバイスＲＣ３の新たなシーンを生成する場合には、これらの設定は、設定がランプに格納される場合であっても、遠隔制御デバイスＲＣ４に通信されるか、又は、遠隔制御デバイスＲＣ４とやりとりされる必要がある。
【００２６】
図３は、本発明の設定を同期させるための"Ｓｙｎｃ"という名前の新たなデバイス（以下、簡潔に、Ｓｙｎｃデバイスという）を備えた、図１のホーム照明システムを示している。Ｓｙｎｃデバイスの機能は、ホーム照明システムのネットワークにおける設定の同期機能を実現することにある。Ｓｙｎｃデバイスは、ホーム照明システムの別個のデバイスであり、例えば、部屋の中央に配置され、壁に取り付けられ、ランプ又は遠隔制御デバイスに一体化され得る。同期化機能でのホーム照明システムの拡張に関して、Ｓｙｎｃデバイスは、プラグアンドプレイにより既存のコントロールシステム又はホーム照明システムに容易に一体化され得る別個のデバイスとして提供され得る。
【００２７】
図４は、Ｓｙｎｃデバイスを詳細に示している。Ｓｙｎｃデバイスは、ＲＦ信号１６を受信し、ＲＦ信号１８を出力するためのＲＦ通信ユニット１４と、ＲＦ通信ユニット１４を制御し、ホーム照明システムの照明シーンのような設定を同期させるためのソフトウェアを実行するためのプロセッサ１０と、Ｓｙｎｃデバイスの設定を格納するためのメモリ１２とを有する。Ｓｙｎｃデバイスは、ホーム照明システムの遠隔制御デバイスと通信するように適合される。Ｓｙｎｃデバイスは、後に詳細に説明されるように、ホーム照明システムのランプと直接通信するように適合されてもよい。遠隔制御デバイスのようなホーム照明システムのデバイスとの通信は、Ｓｙｎｃデバイスのデバイスとの対形成プロセスにより確立され得る。Ｓｙｎｃデバイスがネットワークにおいて他のデバイスと通信可能なホーム照明システムの各デバイスと通信することを可能にするために例えば無線ＬＡＮ（ＷＬＡＮ）と類似するキーを格納することにより、Ｓｙｎｃデバイスをホーム照明システムにおける無線通信に一体化することも可能である。
【００２８】
図５は、ホーム照明システムの照明シーンの設定が格納されて取り出され得る１つの中央位置が存在するようにＳｙｎｃデバイスがこれらの設定を格納する、本発明の一実施形態を示している。この手法において、全ての遠隔制御デバイスＲＣ３及びＲＣ４は、同一の設定及び"シーン"をアクティブにし、先に述べられた問題を回避する。図５に示された状況において、Ｓｙｎｃデバイスは、シーンＥ，Ｆ及びＧの設定を格納する。遠隔制御デバイスＲＣ３又はＲＣ４のうち一方がアクティブになり、"シーン"又は照明シーンを構成するためのコマンドを送信するとすぐに、コマンドは、信号１６を介して遠隔制御デバイスＲＣ３又はＲＣ４からＳｙｎｃデバイスに渡される。次に、Ｓｙｎｃデバイスは、信号１８を介して、指示された照明シーンのレンダリングに関与するランプＬ１，・・・，Ｌ９にコマンドを送信するか又はこれらのランプＬ１，・・・，Ｌ９に設定を分配する。双方の信号１６及び１８は、ＲＦ接続を介して無線で出力される。図５に示された状況において、Ｓｙｎｃデバイスは、遠隔制御デバイスＲＣ３及びＲＣ４とランプＬ１〜Ｌ９との間で切り替えられる中央同期化要素として機能する。それ故、遠隔制御デバイスＲＣ３又はＲＣ４は、ランプＬ１〜Ｌ９を直接制御するのではなく、Ｓｙｎｃデバイス介して制御する。また、ユーザが遠隔制御デバイスＲＣ３又はＲＣ４を介して新たな又は既存の照明シーンを生成又は調節する場合には、遠隔制御デバイスＲＣ３又はＲＣ４は、生成及び調節コマンドを信号１６を介してＳｙｎｃデバイスに送信し、Ｓｙｎｃデバイスは、ユーザが遠隔制御デバイスＲＣ３又はＲＣ４に入力されたコマンドに対するフィードバックを得るように、設定を格納し、これらを信号１８を介してホーム照明システムの各ランプＬ１〜Ｌ９に転送する。この手法において、Ｓｙｎｃは、新たなシーンが生成されて利用可能なシーンのリストに追加された場合に制御デバイスが全ての制御デバイスを更新することができるか、又は、制御デバイスが、目覚めるか若しくはシステムに再結合するときに最新の情報を取得することができる。
【００２９】
図５に示された設定の同期化を実行するためのＳｙｎｃデバイスのプロセッサ１０により実行されるプログラムが以下において簡単に説明される。照明シーンを生成するためのランプＬ１〜Ｌ９の設定がＳｙｎｃデバイスに格納される。これは、ユーザにより入力された遠隔制御デバイスＲＣ３又はＲＣ４からの設定を、設定とＳｙｎｃデバイスに設定を格納するためのコマンドとを有する信号を介して、Ｓｙｎｃデバイスに出力することにより実現され得る。そして、Ｓｙｎｃデバイスは、格納された設定を読み出し、読み出した設定を処理するために、例えばユーザによりアクティブにされた遠隔制御デバイスＲＣ３又はＲＣ４から信号１６を受信する。これは、例えば、遠隔制御デバイスのユーザアクティブ化の後に、ユーザが、遠隔制御デバイスＲＣ３又はＲＣ４上に表示された照明シーンの利用可能な設定のリストをスクロールさせ、対応する設定を選択することにより所望の照明シーンを選択し、この選択をＳｙｎｃデバイスに出力するために出力ボタンを押すときに実行され得る。この選択を受信したＳｙｎｃデバイスは、格納された設定を読み出し、ランプＬ１〜Ｌ９を設定するための信号を生成することによりこれを処理し、所望の照明シーンがホーム照明システムにレンダリングされ得る。その後、Ｓｙｎｃデバイスは、生成された信号をランプＬ１〜Ｌ９に出力する。
【００３０】
図６は、他の遠隔制御デバイスがアクティブになったときに変更が他の遠隔制御デバイスとやりとりされるように、Ｓｙｎｃデバイスがホーム照明システムの設定の変更を一時的に格納する、本発明の他の実施形態を示している。この場合において、照明シーンＥ，Ｆ及びＧの設定は、遠隔制御デバイスＲＣ３及びＲＣ４に格納されるか、又は、これらによってアクティブにされる。照明シーンＦの設定の変更が例えば遠隔制御デバイスＲＣ３において行われたときには、デバイスＲＣ３は、シーンＦの変更された設定を一時的に格納するために、コマンドを生成し、これを信号１６を介してＳｙｎｃデバイスに送信する。遠隔制御デバイスＲＣ４がアクティブになるとすぐに、遠隔制御デバイスＲＣ４は、シーンＦの設定の変更が存在し、シーンＦの一時的に格納され変更された設定を遠隔制御デバイスＲＣ４に渡すことを示す、Ｓｙｎｃデバイスからの同期信号１８を受信し、シーンＦの受信され変更された設定を内部メモリに格納する。そして、シーンＦの設定は、所望の照明シーンをレンダリングするために、遠隔制御デバイスＲＣ３及びＲＣ４からＲＦ信号２２及び２０を介して、それぞれ、ランプＬ１〜Ｌ９に出力され得る。
【００３１】
図６に示された設定の同期化を実行するためのＳｙｎｃデバイスのプロセッサ１０により実行されるプログラムが以下において簡単に説明される。Ｓｙｎｃデバイスは、変更された設定及び設定の変更を格納するためのコマンドを有する信号を受信する。これは、Ｓｙｎｃデバイスのプロセッサ１０に、受信したコマンドに応じて、受信され変更された設定をＳｙｎｃデバイスのメモリ１２に格納させることをもたらす。そして、Ｓｙｎｃデバイスは、例えば"変更されたシーンＦ設定"という記述を含めることにより、変更された設定を示す同期信号を出力し、この同期信号を受信する、ＲＣ４のような、それぞれのアクティブな遠隔制御デバイスは、シーンＦの設定が格納されているかどうかを確認し、同期信号に含まれた変更に応じて、格納された変更を変更し得る。同期信号は、Ｓｙｎｃデバイスにより連続的に出力されてもよく、又は、例えば遠隔制御デバイスアクティブ信号を介してＳｙｎｃデバイスにより気付かされ得る遠隔制御デバイスがアクティブになった場合にのみ出力されてもよい。遠隔制御デバイスアクティブ信号は、アクティブになると各遠隔制御デバイスにより自動的に送信され、どの制御デバイスがアクティブになりオンに切り替えられたかをＳｙｎｃデバイスが迅速に決定することを可能にする。
【００３２】
また、ホーム照明システムは、図７に示されるように、シーンＥ，Ｆ及びＧの設定がランプＬ１〜Ｌ９に格納されるように構成され得る。そして、遠隔制御デバイスＲＣ３及びＲＣ４は、シーンをアクティブにするためのコマンドをＲＦ信号２０及び２２をそれぞれ介してランプＬ１〜Ｌ９に送信する。この場合において、シーンの調光設定の変更は、設定が１つの位置、即ちランプＬ１〜Ｌ９にのみ格納されるので、"組み込みの"同期化をもたらすだろう。しかしながら、遠隔制御デバイスＲＣ３及びＲＣ４は、依然として、多くの照明シーンがどのように生成されるか、及び、アクティブにすることが可能であるかを知る必要がある。例えば、新たなシーンが遠隔制御デバイスＲＣ３で生成される場合には、遠隔制御デバイスＲＣ４も、この変更について伝えられ、利用可能なシーンのリストを更新する必要がある。従って、この場合においても、同期化機能"Ｓｙｎｃ"が必要とされる。図７は、シーンの変更のための同期化を実行する、本発明の他の実施形態を示している。ユーザが例えば遠隔制御デバイスＲＣ３でシーンＥを変更する場合には、この変更は、ＲＦ信号１６を介してＳｙｎｃデバイスに信号送信される。信号１６は、設定Ｅを変更するためのコマンドを有する。Ｓｙｎｃデバイスは、設定Ｅを変更するために、受信されたコマンドを一時的に格納し、遠隔制御デバイスＲＣ４がユーザによりアクティブにされた場合に、設定Ｅを変更するためにこのコマンドを転送する。そして、遠隔制御デバイスＲＣ４も変更された設定Ｅを知ることになり、ユーザがこの変更された設定を選択することを可能にする。
【００３３】
Ｓｙｎｃデバイスはランプ又はプラグインユニットに配置されてもよい。実際には、常に電力供給されるホームコントロールシステムのいずれかの制御デバイスは、Ｓｙｎｃデバイスの役割を引き継ぐことができる。
【００３４】
本発明は、ホームコントロールシステムの設定のための同期化機能を別個の製品として消費者に提供する機会を与える。この場合において、消費者は、その機能及びこの利点を購入したいか否かを決定することができる。
【００３５】
本発明は、任意のホームコントロールシステム、例えば家庭、店舗及びオフィスのアプリケーションにおける照明制御システムに適用され得る。
【００３６】
本発明の機能の少なくとも幾つかは、ハードウェア又はソフトウェアにより実行され得る。ソフトウェアにおける実行の場合において、単一又は複数の標準的なマイクロプロセッサ又はマイクロコントローラが、本発明を実行する単一又は複数のアルゴリズムを処理するために用いられ得る。
【００３７】
"有する"という用語は、他の要素又はステップを除外するものではなく、単数表記は、複数を除外するものではないことに留意されるべきである。更に、請求項中の如何なる参照符号も、本発明の範囲を限定するものとして考慮されるべきではない。
【図１】
0005539354.tif 000002
【図２】
0005539354.tif 000003
【図３】
0005539354.tif 000004
【図４】
0005539354.tif 000005
【図５】
0005539354.tif 000006
【図６】
0005539354.tif 000007
【図７】
0005539354.tif 000008